【手続補正書】
【提出日】平成17年8月30日(2005.8.30)
【手続補正１】
【補正対象書類名】明細書
【補正対象項目名】特許請求の範囲
【補正方法】変更
【補正の内容】
【特許請求の範囲】
【請求項１】  アプリケーションが生成した文書データに応じて印刷装置で印刷すべき印刷データを生成するプリンタドライバを備える情報処理装置であって、
プリンタドライバによる設定画面を介してレイアウト印刷の条件を設定するための入力手段と、
前記設定されたレイアウト印刷の条件に基づいて、文書データの各ページを変倍し、レイアウトを決定する第一レイアウト手段と、
前記設定されたレイアウト印刷の条件を実行するために、前記第一レイアウト手段と、前記印刷装置内で変倍してレイアウトする第二レイアウト手段との処理配分を決定する配分手段と、
前記配分手段により決定された処理配分で、前記第一レイアウト手段によりレイアウトされた印刷データを生成する生成手段と、
を備えることを特徴とする情報処理装置。
【請求項２】  前記配分手段が決定するレイアウト制御の分担は、前記印刷データを最速に印刷処理可能とする分担割合であることを特徴とする請求項１に記載の情報処理装置。
【請求項３】  レイアウト印刷を行うに際し、必ず当該情報処理装置の第一レイアウト手段を用いるか、第一レイアウト手段を用いずに前記印刷装置の第二レイアウト手段を用いるか、当該情報処理装置の第一レイアウト手段と前記印刷装置の第二レイアウト手段の両方が利用可能であるかを、指定画面を介して択一的に選択する選択手段を更に備え、
前記配分手段は、前記選択手段により当該情報処理装置の第一レイアウト手段と前記印刷装置の第二レイアウト手段の両方が利用可能であることが選択されている場合に、前記第一レイアウト手段と前記第二レイアウト手段との処理配分を決定して、前記第一レイアウト手段と前記第二レイアウト手段の両方の変倍とレイアウトを実行させることを特徴とする請求項１または２に記載の情報処理装置。
【請求項４】  前記配分手段は、前記第一レイアウト手段の縮小レイアウト機能と、前記第二レイアウト手段の縮小レイアウト機能との双方を協調的に使用した配分を決定し、どちらか１つでは実現できない縮小レイアウト印刷の体裁を生成可能とすることを特徴とする請求項３に記載の情報処理装置。
【請求項５】  アプリケーションが生成した文書データに応じて印刷装置で印刷すべき印刷データを生成するプリンタドライバを備える情報処理装置における情報処理方法であって、
プリンタドライバによる設定画面を介してレイアウト印刷の条件を設定するための入力工程と、
前記設定されたレイアウト印刷の条件に基づいて、文書データの各ページを変倍し、レイアウトを決定する第一レイアウト工程と、
前記設定されたレイアウト印刷の条件を実行するために、前記第一レイアウト工程と、前記印刷装置内で変倍してレイアウトする第二レイアウト工程との処理配分を決定する配分工程と、
前記配分工程により決定された処理配分で、前記第一レイアウト工程によりレイアウトされた印刷データを生成する生成工程と、
を備えることを特徴とする情報処理方法。
【請求項６】  前記配分工程が決定するレイアウト制御の分担は、前記印刷データを最速に印刷処理可能とする分担割合であることを特徴とする請求項５に記載の情報処理方法。
【請求項７】  レイアウト印刷を行うに際し、必ず当該情報処理装置における第一レイアウト工程を用いるか、第一レイアウト工程を用いずに前記印刷装置における第二レイアウト工程を用いるか、当該情報処理装置における第一レイアウト工程と前記印刷装置における第二レイアウト工程の両方が利用可能であるかを、指定画面を介して択一的に選択する選択工程を更に備え、
前記配分工程は、前記選択工程により当該情報処理装置における第一レイアウト工程と前記印刷装置における第二レイアウト工程の両方が利用可能であることが選択されている場合に、前記第一レイアウト工程と前記第二レイアウト工程との処理配分を決定して、前記第一レイアウト工程と前記第二レイアウト工程の両方の変倍とレイアウトを実行させることを特徴とする請求項５または６に記載の情報処理方法。
【請求項８】  前記配分工程は、前記第一レイアウト工程の縮小レイアウト機能と、前記第二レイアウト工程の縮小レイアウト機能との双方を協調的に使用した配分を決定し、どちらか１つでは実現できない縮小レイアウト印刷の体裁を生成可能とすることを特徴とする請求項７に記載の情報処理方法。
【請求項９】  アプリケーションが生成した文書データに応じて印刷装置で印刷すべき印刷データを生成するプリンタドライバが格納された記憶媒体であって、情報処理装置により実行される該プリンタドライバが、
プリンタドライバによる設定画面を介してレイアウト印刷の条件を設定するための入力工程のコードと、
前記設定されたレイアウト印刷の条件に基づいて、文書データの各ページを変倍し、レイアウトを決定する第一レイアウト工程のコードと、
前記設定されたレイアウト印刷の条件を実行するために、前記第一レイアウト工程のコードと、前記印刷装置内で変倍してレイアウトする第二レイアウト工程のコードとの処理配分を決定する配分工程のコードと、
前記配分工程のコードにより決定された処理配分で、前記第一レイアウト工程のコードによりレイアウトされた印刷データを生成する生成工程のコードと、
を備えることを特徴とする記憶媒体。
【請求項１０】  前記配分工程のコードが決定するレイアウト制御の分担は、前記印刷データを最速に印刷処理可能とする分担割合であることを特徴とする請求項９に記載の記憶媒体。
【請求項１１】  レイアウト印刷を行うに際し、必ず当該情報処理装置で実行される第一レイアウト工程のコードを用いるか、第一レイアウト工程のコードを用いずに前記印刷装置で実行される第二レイアウト工程のコードを用いるか、当該情報処理装置で実行される第一レイアウト工程のコードと前記印刷装置で実行される第二レイアウト工程のコードの両方が利用可能であるかを、指定画面を介して択一的に選択する選択工程のコードを更に備え、
前記配分工程のコードは、前記選択工程のコードにより当該情報処理装置で実行される第一レイアウト工程のコードと前記印刷装置で実行される第二レイアウト工程のコードの両方が利用可能であることが選択されている場合に、前記第一レイアウト工程のコードと前記第二レイアウト工程のコードとの処理配分を決定して、前記第一レイアウト工程のコードと前記第二レイアウト工程のコードとの両方の変倍とレイアウトを実行させることを特徴とする請求項９または１０に記載の記憶媒体。
【請求項１２】  前記配分工程のコードは、前記第一レイアウト工程のコードの縮小レイアウト機能と、前記第二レイアウト工程のコードの縮小レイアウト機能との双方を協調的に使用した配分を決定し、どちらか１つでは実現できない縮小レイアウト印刷の体裁を生成可能とすることを特徴とする請求項１１に記載の記憶媒体。
【手続補正２】
【補正対象書類名】明細書
【補正対象項目名】発明の名称
【補正方法】変更
【補正の内容】
【発明の名称】情報処理装置、情報処理方法、記憶媒体
【手続補正３】
【補正対象書類名】明細書
【補正対象項目名】０００６
【補正方法】変更
【補正の内容】
【０００６】
【課題を解決するための手段】
上記課題を鑑みて、本発明は、統一したユーザインターフェースを用いて印刷制御設定を行い、縮小レイアウト印刷が設定されている場合は、レイアウトの条件を判断し、印刷デバイス（プリンタ）側と情報処理装置（ホストコンピュータ）側とが重複する機能を効率的に制御して、ユーザの設定に対して適切な印刷制御を可能にすることを目的とするものである。前記目的を達成するべく、本発明に係る情報処理装置、情報処理方法、該方法をコンピュータで実行するためのプログラムを格納した記憶媒体は主として以下の構成からなることを特徴とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
アプリケーションが生成した文書データに応じて印刷装置で印刷すべき印刷データを生成するプリンタドライバを備える情報処理装置は、
プリンタドライバによる設定画面を介してレイアウト印刷の条件を設定するための入力手段と、
前記設定されたレイアウト印刷の条件に基づいて、文書データの各ページを変倍し、レイアウトを決定する第一レイアウト手段と、
前記設定されたレイアウト印刷の条件を実行するために、前記第一レイアウト手段と、前記印刷装置内で変倍してレイアウトする第二レイアウト手段との処理配分を決定する配分手段と、
前記配分手段により決定された処理配分で、前記第一レイアウト手段によりレイアウトされた印刷データを生成する生成手段と、
を備えることを特徴とする。
【手続補正８】
【補正対象書類名】明細書
【補正対象項目名】００１１
【補正方法】変更
【補正の内容】
【００１１】
また、アプリケーションが生成した文書データに応じて印刷装置で印刷すべき印刷データを生成するプリンタドライバを備える情報処理装置における情報処理方法は、
プリンタドライバによる設定画面を介してレイアウト印刷の条件を設定するための入力工程と、
前記設定されたレイアウト印刷の条件に基づいて、文書データの各ページを変倍し、レイアウトを決定する第一レイアウト工程と、
前記設定されたレイアウト印刷の条件を実行するために、前記第一レイアウト工程と、前記印刷装置内で変倍してレイアウトする第二レイアウト工程との処理配分を決定する配分工程と、
前記配分工程により決定された処理配分で、前記第一レイアウト工程によりレイアウトされた印刷データを生成する生成工程と、
を備えることを特徴とする。
【手続補正９】
【補正対象書類名】明細書
【補正対象項目名】００１２
【補正方法】変更
【補正の内容】
【００１２】
また、アプリケーションが生成した文書データに応じて印刷装置で印刷すべき印刷データを生成するプリンタドライバが格納された記憶媒体であって、情報処理装置により実行される該プリンタドライバが、
プリンタドライバによる設定画面を介してレイアウト印刷の条件を設定するための入力工程のコードと、
前記設定されたレイアウト印刷の条件に基づいて、文書データの各ページを変倍し、レイアウトを決定する第一レイアウト工程のコードと、
前記設定されたレイアウト印刷の条件を実行するために、前記第一レイアウト工程のコードと、前記印刷装置内で変倍してレイアウトする第二レイアウト工程のコードとの処理配分を決定する配分工程のコードと、
前記配分工程のコードにより決定された処理配分で、前記第一レイアウト工程のコードによりレイアウトされた印刷データを生成する生成工程のコードと、
を備えることを特徴とする。